【手続補正書】
【提出日】平成25年1月11日(2013.1.11)
【手続補正１】
【補正対象書類名】特許請求の範囲
【補正対象項目名】全文
【補正方法】変更
【補正の内容】
【特許請求の範囲】
【請求項１】
ユーザ端末を収容する宅内装置と、前記宅内装置にアクセス網を介して接続される局装置とを備えるネットワークシステムにおいて、
前記宅内装置は第１宅内装置及び第２宅内装置を含み、前記局装置は第１局装置及び第２局装置を含み、
前記第１宅内装置及び前記第１局装置は第１アクセス網を介して接続され、前記第２宅内装置及び前記第２局装置は第２アクセス網を介して接続され、
前記第１局装置及び前記第２局装置は中継網を介して接続され、
前記第１宅内装置と前記第２宅内装置とが前記第１アクセス網、前記中継網、及び前記第２アクセス網を介して一対一で接続され、
前記宅内装置は、
前記ユーザ端末との物理リンクが切断されたか否かを判定する物理リンク切断判定部と、
前記物理リンク切断判定部によって前記ユーザ端末との物理リンクが切断されたと判定された場合、自身を通常モードよりも消費電力が低い低消費電力モードに遷移させ、前記中継網を介して一対一で接続される対向する宅内装置に対して、前記低消費電力モードに遷移させる低消費電力モード制御信号を送信する低消費電力モード処理部と、を備え、
前記低消費電力モード処理部は、前記他方の宅内装置から前記低消費電力モード制御信号を受信した場合にも、自身を前記低消費電力モードに遷移させることを特徴とするネットワークシステム。
【請求項２】
前記宅内装置は、
前記ユーザ端末に接続されるユーザ端末インタフェースと、
前記アクセス網に接続されるアクセス網インタフェースと、を備え、
前記ユーザ端末インタフェースは、前記ユーザ端末に信号を送信する第１送信部と前記ユーザ端末からフレームを受信する第１受信部とを有し、
前記アクセス網インタフェースは、前記アクセス網に信号を送信する第２送信部と前記アクセス網からフレームを受信する第２受信部とを有し、
前記宅内装置は、
前記局装置及び前記他方の宅内装置に対して監視信号を所定周期で前記第２送信部から送信する監視信号送信部と、
前記第２受信部が前記他方の宅内装置からの前記監視信号を前記所定周期よりも長い所定時間受信しない場合、当該宅内装置と前記他方の宅内装置との間の通信経路の異常を検出する第１異常検出部と、を備え、
前記低消費電力モード処理部は、少なくとも前記第２送信部を無効化することによって、前記低消費電力モードに遷移させ、
前記監視信号送信部は、前記宅内装置が前記低消費電力モードに遷移した場合、前記監視信号を送信できない状態となり、
前記局装置は、前記監視信号を前記所定周期よりも長い所定時間受信していない場合、当該局装置と当該局装置に前記アクセス網を介して接続された前記宅内装置との間の通信経路の異常を検出する第２異常検出部を備え、
前記第１異常検出部は、前記第２受信部が前記低消費電力モード制御信号を受信した場合、前記通信経路の異常の検出を停止し、
前記低消費電力モード処理部は、前記物理リンク切断判定部によって前記ユーザ端末との物理リンクが切断されたと判定された場合、当該宅内装置に前記アクセス網を介して接続される前記局装置に備わる前記第２異常検出部に前記通信経路の異常の検出を停止させる低消費電力モード通知信号を当該局装置に送信し、
前記第２異常検出部は、前記低消費電力モード通知信号を受信した場合、前記通信経路の異常の検出を停止することを特徴とする請求項１に記載のネットワークシステム。
【請求項３】
前記低消費電力モード処理部は、前記宅内装置を前記低消費電力モードに遷移させる前に、前記低消費電力モード制御信号を前記他方の宅内装置に複数回送信し、前記低消費電力モード通知信号を前記局装置に複数回送信することを特徴とする請求項２に記載のネットワークシステム。
【請求項４】
前記低消費電力モード処理部は、前記物理リンクが回復したと判定した場合、前記無効化した前記第２送信部を有効化することによって、前記低消費電力モードから前記通常モードに遷移させ、
前記監視信号送信部は、前記第２送信部が有効化された場合、前記監視信号の送信を再開し、
前記低消費電力モード処理部は、前記宅内装置が前記通常モードに遷移したことを示す前記低消費電力モード制御信号を前記他方の宅内装置に対して前記第２送信部から送信し、
前記他方の宅内装置に備わる前記低消費電力モード処理部は、前記監視信号又は前記通常モードに遷移したことを示す前記低消費電力モード制御信号を受信した場合、前記低消費電力モードから前記通常モードに遷移させることを特徴とする請求項２に記載のネットワークシステム。
【請求項５】
前記宅内装置は、
前記アクセス網に送信するフレームに対して送信処理を実行する上りフレーム処理部を備え、
前記低消費電力モード判定部は、
前記ユーザ端末との物理リンクが切断されたか否か、及び前記アクセス網を介して接続される前記局装置との物理リンクが切断されたか否かを判定し、
前記ユーザ端末との物理リンクが切断されたと判定した場合、前記第１送信部、前記第２送信部、及び前記上りフレーム処理部を無効化することによって、前記低消費電力モードに遷移させ、
前記アクセス網との物理リンクが切断されたと判定した場合、前記ユーザ端末インタフェース、前記第２送信部、及び前記上りフレーム処理部を無効化することによって、前記低消費電力モードに遷移させることを特徴とする請求項２に記載のネットワークシステム。
【請求項６】
前記宅内装置は、一つの前記ユーザ端末を収容するポートを複数備え、
前記ポートは、前記ユーザ端末インタフェースを備え、
前記ポートには少なくとも一つのＶＬＡＮが設定可能であり、
前記宅内装置は、前記ポートに接続されたユーザ端末の識別子に対応する一つのＶＬＡＮを選択し、前記選択したＶＬＡＮの識別子を含むフレームを前記第２送信部から送信し、
前記宅内装置は、前記ＶＬＡＮの識別子を含む信号を第２受信部から受信した場合、前記信号に含まれるＶＬＡＮの識別子によって特定されるＶＬＡＮが選択されているポートに当該フレームを送信し、
前記物理リンク切断判定部は、前記ユーザ端末と前記ポートとの物理リンクが切断されたか否かを判定し、
前記低消費電力モード処理部は、
前記物理リンク切断判定部によって前記ユーザ端末との物理リンクが切断されたと判定された場合に、前記ユーザ端末との物理リンクが切断されたポートの前記第１送信部を無効化し、
前記ユーザ端末との物理リンクが切断されたポートに設定可能なＶＬＡＮの識別子を含む前記低消費電力モード制御信号を送信し、
前記低消費電力モード制御信号を受信した場合、前記受信した低消費電力モード制御信号に含まれるＶＬＡＮの識別子のポートの前記第１送信部を無効化し、
自身に備わるすべてのポートの第１送信部が無効化されている場合、前記アクセス網インタフェースに備わる前記第２送信部を無効化することを特徴とする請求項２に記載のネットワークシステム。
【請求項７】
前記低消費電力モード処理部は、
前記自身に備わるポートに設定可能なすべてのＶＬＡＮの識別子を含む前記低消費電力モード制御信号を受信している場合、前記ポートの前記第１送信部を無効化することを特徴とする請求項６に記載のネットワークシステム。
【請求項８】
前記ＶＬＡＮの識別子を含む信号は、ＶＬＡＮタグ付きのイーサネットフレームを使用することを特徴とする請求項６に記載のネットワークシステム。
【請求項９】
前記低消費電力モード制御信号及び前記低消費電力モード通知信号は、ＩＴＵ−Ｔ勧告Ｙ．１７３１に規定されたイーサネットＯＡＭのＶＳＭフレームを使用し、
前記監視信号は、ＩＴＵ−Ｔ勧告Ｙ．１７３１に規定されたイーサネットＯＡＭのＣＣフレームを使用することを特徴とする請求項２に記載のネットワークシステム。
【手続補正２】
【補正対象書類名】明細書
【補正対象項目名】００１６
【補正方法】変更
【補正の内容】
【００１６】
本発明の代表的な一例を示せば、ユーザ端末を収容する宅内装置と、前記宅内装置にアクセス網を介して接続される局装置とを備えるネットワークシステムにおいて、前記宅内装置は第１宅内装置及び第２宅内装置を含み、前記局装置は第１局装置及び第２局装置を含み、前記第１宅内装置及び前記第１局装置は第１アクセス網を介して接続され、前記第２宅内装置及び前記第２局装置は第２アクセス網を介して接続され、前記第１局装置及び前記第２局装置は中継網を介して接続され、前記第１宅内装置と前記第２宅内装置とが前記第１アクセス網、前記中継網、及び前記第２アクセス網を介して一対一で接続され、前記宅内装置は、前記ユーザ端末との物理リンクが切断されたか否かを判定する物理リンク切断判定部と、前記物理リンク切断判定部によって前記ユーザ端末との物理リンクが切断されたと判定された場合、自身を通常モードよりも消費電力が低い低消費電力モードに遷移させ、前記中継網を介して一対一で接続される対向する宅内装置に対して、前記低消費電力モードに遷移させる低消費電力モード制御信号を送信する低消費電力モード処理部と、を備え、前記低消費電力モード処理部は、前記他方の宅内装置から前記低消費電力モード制御信号を受信した場合にも、自身を前記低消費電力モードに遷移させることを特徴とする。